(57)【要約】【課題】糊の層を有するタック紙を使用した場合に、用紙搬送路上で受ける圧迫によって用紙端部からはみ出る糊を簡単かつ安価に取り除くことができる用紙ガイド部材、ならびに該用紙ガイド部材を備えた画像形成装置および画像形成システムを提供する。【解決手段】用紙搬送路に設けられる用紙ガイド部材は、前記用紙搬送路上において搬送される用紙に接触する接触部と、前記接触部の幅方向端部に剥離可能に貼着されたテープを備え、前記用紙からはみ出る糊を前記テープに付着させることで除去する清掃部と、を有する。【選択図】図５
2016129973.tif 000002
【特許請求の範囲】
【請求項１】
画像形成装置または画像形成システムの用紙搬送路に設けられる用紙ガイド部材であって、
前記用紙搬送路上において搬送される用紙に接触する接触部と、
前記接触部の幅方向端部に剥離可能に貼着されたテープを備え、前記用紙からはみ出る糊を前記テープに付着させることで除去する清掃部と、
を有する用紙ガイド部材。
【請求項２】
前記清掃部は、前記テープを複数枚積層してなる請求項１に記載の用紙ガイド部材。
【請求項３】
前記接触部は、前記用紙の裏面側に位置する底部と、前記用紙の幅方向端部側に位置する壁部とを有し、前記壁部は前記底部に対して開閉可能に連結されている請求項１または請求項２に記載の用紙ガイド部材。
【請求項４】
請求項１から請求項３のいずれか１項に記載の用紙ガイド部材を備える画像形成装置。
【請求項５】
印刷用の連帳紙を給紙する給紙装置と、
前記給紙装置により給紙された前記連帳紙に画像を形成する画像形成装置と、
前記画像形成装置により画像が形成された前記連帳紙を巻き取る巻き取り装置と、
前記給紙装置、前記画像形成装置および前記巻き取り装置のうち少なくとも何れかの用紙搬送路に配置される請求項１から請求項３のいずれか１項に記載の用紙ガイド部材と、
を備える画像形成システム。
【発明の詳細な説明】
【技術分野】
【０００１】
本発明は、用紙搬送経路に設けられ、用紙を案内する用紙ガイド部材、ならびに該用紙ガイド部材を備えた画像形成装置および画像形成システムに関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体（像担持体）へ現像装置よりトナーを供給することにより静電潜像を可視化してトナー像を形成する。さらに、このトナー像を直接又は間接的に用紙に転写させた後、加熱部材（例えば、定着ローラー）と加圧部材（例えば、加圧ローラー）による定着ニップで加熱、加圧して定着させることにより用紙に画像を形成する。
【０００３】
従来、上記画像形成装置の前段に、連帳ロール紙や折り畳み紙等の連続した用紙を給紙する給紙装置を接続し、後段に該画像形成装置により画像が形成された用紙を巻き取る巻き取り装置を接続した画像形成システムが実用化されている。
【０００４】
上記画像形成システムで使用される用紙は、紙のみでできた通常の用紙の他に、タック紙と呼ばれる貼着用の糊（接着剤）の層を有する用紙がある。図８は、一般的なタック紙の構造を示す図である。同図に示すように、タック紙３００は、上から用紙３０１、糊（接着剤）３０２、剥離剤３０３、剥離紙３０４の順で積層された多層構造を成す用紙である。
【０００５】
ところで、タック紙に限らず通常の用紙でも搬送途中で搬送用ローラーや用紙位置規制板に当たるなどして圧迫を受けるが、タック紙の場合は糊の層を有していることもあって圧迫を受けることで、用紙端部から糊がはみ出てしまうことがある。はみ出た糊の殆どは圧迫を受けた部位に付着するが、印刷枚数が増えると堆積した状態となって、用紙搬送性に悪影響を与えるようになる。例えば、通紙ジャムとなって印刷ができなくなったりする。そこで、タック紙を使用した場合には、通常の用紙を使用した場合よりも頻繁に用紙搬送路の清掃を行う必要がある。例えば、１巻の長さが約５００ｍ〜１２００ｍのロール状のタック紙（以下、「タックロール紙」と言う）を使用した場合、３００ｍ程度毎に清掃を行う必要な場合もある。
【０００６】
従来、用紙搬送路内に付着した糊を除去する方法が案出されている。例えば特許文献１には、用紙搬送路内に付着した付着物を加熱して、媒体類に付着させる技術が記載されている。
【先行技術文献】
【特許文献】
【０００７】
【特許文献１】特開２０１２−２４０２０２号公報
【発明の概要】
【発明が解決しようとする課題】
【０００８】
しかしながら、特許文献１に記載の技術では、加熱源としてのサーマルプリントヘッドが配置された部位における付着物の除去はできるが、用紙搬送路内における付着物を清掃するためには新たな加熱源等の仕組みが必要となり、特に搬送路全域で行う場合、構造が複雑になり、コストも嵩むという課題が生じる。
【０００９】
また、この清掃を、画像形成システムの画像形成装置、給紙装置および巻き取り装置における用紙搬送路の全域で行う場合も構造が複雑になり、コストも嵩むという課題が生じる。
【００１０】
本発明は、糊の層を有するタック紙を使用した場合に、用紙搬送路上で受ける圧迫によって用紙端部からはみ出る糊を簡単かつ安価に取り除くことができる用紙ガイド部材、ならびに該用紙ガイド部材を備えた画像形成装置および画像形成システムを提供することを目的とする。
【課題を解決するための手段】
【００１１】
本発明に係る用紙ガイド部材は、画像形成装置または画像形成システムの用紙搬送路に設けられる用紙ガイド部材であって、
前記用紙搬送路において搬送される用紙に接触する接触面と、
前記接触面の幅方向端部に剥離可能に貼着されたテープを備え、前記用紙からはみ出る糊を前記テープに付着させることで除去する清掃部と、を有する。
【００１２】
本発明に係る画像形成装置は、
上記用紙ガイド部材を備える。
また、本発明に係る画像形成システムは、
印刷用の連帳紙を給紙する給紙装置と、
前記給紙装置により給紙された前記連帳紙に画像を形成する画像形成装置と、
前記画像形成装置により画像が形成された前記連帳紙を巻き取る巻き取り装置と、
前記給紙装置、前記画像形成装置および前記巻き取り装置のうち少なくとも何れかの用紙搬送路に配置される上記用紙ガイド部材と、
を備える。
【発明の効果】
【００１３】
本発明によれば、糊の層を有する用紙が用紙搬送路上で受ける圧迫によって用紙端部からはみ出る糊を用紙ガイド部材のテープに付着させるので、当該テープを剥がすだけの簡単な作業で用紙からはみ出た糊を取り除くことができる。また、糊の除去に必要な部材はテープのみなので、極めて安価に実現できる。
【図面の簡単な説明】
【００１４】
【図１】実施の形態に係る画像形成システムの全体構成を概略的に示す図である。
【図２】実施の形態に係る画像形成システムにおける用紙位置規制板の配置を示す図である。
【図３】用紙位置規制板に糊が付着した状態を示す図である。
【図４】用紙位置規制板における清掃時の問題を説明するための図である。
【図５】用紙位置規制板の一部分を用紙搬送方向の後ろ側からみた図である。
【図６】用紙位置規制板からテープを剥がしたときの様子を示す図である。
【図７】規制壁を用紙と平行になる０度から用紙に対して９０度となる範囲内で可動させることができる構造を有する用紙位置規制板を示す図である。
【図８】一般的なタック紙の構造を示す図である。
【発明を実施するための形態】
【００１５】
以下、本実施の形態を図面に基づいて詳細に説明する。
図１は、本発明の実施の形態に係る画像形成システム１００の全体構成を概略的に示す図である。本実施の形態に係る画像形成システム１００では、図１において太線で示すタックロール紙Ｔ１（連帳紙）またはタック紙Ｔ２（非連帳紙）を記録媒体として使用して、当該タックロール紙Ｔ上またはタック紙Ｔ２上に画像を形成する。ここでタックロール紙Ｔとは、前述した図８に示す一般的なタック紙３００と同様に、用紙３０１、糊３０２、剥離剤３０３、剥離紙３０４からなる多層構造を持ち、長さが６００ｍ〜１２００ｍの長尺帯状の用紙である。また、タック紙Ｔ２とは、タックロール紙Ｔと同様の用紙３０１、糊３０２、剥離剤３０３、剥離紙３０４からなる多層構造を持ち、例えばＡ４サイズの用紙のように短尺帯状の用紙である。
【００１６】
図１に示すように、画像形成システム１００は、タックロール紙Ｔ１の搬送方向（以下、「用紙搬送方向」とも言う）に沿って上流側から、給紙装置１、画像形成装置２および巻き取り装置３が接続されて構成される。給紙装置１および巻き取り装置３は、タックロール紙Ｔ１上に画像を形成する場合に使用される。
【００１７】
給紙装置１は、タックロール紙Ｔ１を画像形成装置２へ給紙する装置である。給紙装置１の筐体内では、図１に示すように、ロール状のタックロール紙Ｔ１が支持軸に巻回されて回転可能に保持されている。給紙装置１は、支持軸に巻回されたタックロール紙Ｔ１を、複数の搬送ローラー対（例えば、繰り出しローラー、給紙ローラー等）を経由して、一定の速度で画像形成装置２へ搬送する。
【００１８】
画像形成装置２は、電子写真プロセス技術を利用した中間転写方式のカラー画像形成装置であり、画像形成部２０、用紙搬送部２１および定着部２２を備える。画像形成部２０は、感光体ドラム２０１上に形成されたＹ（イエロー）、Ｍ（マゼンタ）、Ｃ（シアン）、Ｋ（ブラック）の各色トナー像を中間転写ベルト２０２に転写（一次転写）し、中間転写ベルト２０２上で４色のトナー像を重ね合わせた後、給紙装置１から給紙されたタックロール紙Ｔ１または用紙搬送部２１の給紙トレイユニット２１１から送出されたタック紙Ｔ２に転写（二次転写）することにより、画像を形成する。
【００１９】
画像形成部２０では、中間転写ベルト２０２を挟んで、転写ローラー２０３がバックアップローラー２０４に圧接されることにより、中間転写ベルト２０２からタックロール紙Ｔ１またはタック紙Ｔ２へトナー像を転写するための転写ニップが形成される。転写ローラー２０３は、バックアップローラー２０４に所定の定着荷重（例えば、５０［Ｎ］）で圧接される。タックロール紙Ｔ１またはタック紙Ｔ２が転写ニップを通過する際に、中間転写ベルト２０２上のトナー像がタックロール紙Ｔ１またはタック紙Ｔ２に転写される。トナー像が転写されたタックロール紙Ｔ１またはタック紙Ｔ２は、定着部２２に向けて搬送される。
【００２０】
定着部２２は、トナー像が転写され、搬送されてきたタックロール紙Ｔ１またはタック紙Ｔ２を定着ニップで加熱、加圧することにより、タックロール紙Ｔ１またはタック紙Ｔ２にトナー像を定着させる。定着部２２では、タックロール紙Ｔ１またはタック紙Ｔ２のトナー像が形成されている面側に定着ローラー２２１が配置され、タックロール紙Ｔ１またはタック紙Ｔ２の裏面（定着面と反対の面）側に加圧ローラー２２２が配置される。加圧ローラー２２２は、定着ローラー２２１に所定の定着荷重（例えば、１０００［Ｎ］）で圧接される。
【００２１】
加圧ローラー２２２が定着ローラー２２１に圧接することで、定着ローラー２２１と加圧ローラー２２２との間には、タックロール紙Ｔ１またはタック紙Ｔ２を狭持して搬送する定着ニップが形成される。定着ローラー２２１には、加熱源（ハロゲンヒーター）が内蔵されており、この加熱源によって定着ローラー２２１が加熱される。定着ローラー２２１は、トナー像が形成されたタックロール紙Ｔ１またはタック紙Ｔ２に接触して、当該トナー像をタックロール紙Ｔ１またはタック紙Ｔ２に定着温度（例えば、１６０〜２００［℃］）で加熱定着する。
【００２２】
用紙搬送部２１は、給紙部２１１、排紙部２１２および搬送経路部２１３等を備える。給紙部２１１にはタック紙Ｔ２が収容されている。搬送経路部２１３は、レジストローラー対２１３ａを含む複数の搬送ローラー対を有する。給紙部２１１に収容されているタック紙Ｔ２は、最上部から一枚ずつ送出され、搬送経路部２１３により画像形成部２０に搬送される。画像形成部２０にタック紙Ｔ２が搬送されてくると、トナー像がタック紙Ｔ２の一方の面に一括して転写され、その後、定着部２２において定着処理が施される。
【００２３】
画像形成されたタックロール紙Ｔ１またはタック紙Ｔ２は、搬送ローラー対（排紙ローラー対）２１２ａを備えた排紙部２１２により巻き取り装置３に搬送される。
【００２４】
巻き取り装置３は、画像形成装置２から搬送されてきたタックロール紙Ｔ１を巻き取る装置である。巻き取り装置３の筐体内では、タックロール紙Ｔ１が支持軸に巻回されてロール状に保持される。そのために、巻き取り装置３は、画像形成装置２から搬送されてきたタックロール紙Ｔ１を、複数の搬送ローラー対（例えば、繰り出しローラー、排紙ローラー）を経由して、一定の速度で支持軸に巻き取る。
【００２５】
このように、給紙装置１から画像形成装置２へ給紙されたタックロール紙Ｔ１は、搬送経路部２１３により画像形成部２０に搬送される。そして、画像形成部２０にて、トナー像がタックロール紙Ｔ１の一方の面に一括して写され、その後、定着部２２において定着処理が施される。また、給紙部２１１に収容されているタック紙Ｔ２は、搬送経路部２１３により画像形成部２０に搬送される。そして、画像形成部２０にて、トナー像がタック紙Ｔ２の一方の面に一括して転写され、その後、定着部２２において定着処理が施される。
【００２６】
ところで、画像形成装置２の画像形成部２０や定着部２２では、用紙を上下のローラーでニップ加圧して搬送するようにしているが、用紙搬送方向に対する直角方向の圧力バランスの違いで用紙が蛇行する用紙蛇行が発生することがある。なお、画像形成部２０における上下のローラーは、転写ローラー２０３とバックアップローラー２０４であり、定着部６０における上下のローラーは、定着ローラー２２１と加圧ローラー２２２である。また、ニップ圧は、転写ローラー２０３とバックアップローラー２０４で約５０[Ｎ]、定着ローラー２２１と加圧ローラー２２２で１０００[Ｎ]を超える。
【００２７】
画像形成装置２で発生した用紙蛇行は、画像形成装置２の入口に配置される用紙位置規制板によって規制されることから、用紙端部と用紙位置規制板の接触力が大きくなる。このため、タックロール紙Ｔ１やタック紙Ｔ２を使用した印刷を連続して行った場合には多くの糊付着が発生する恐れがある。
【００２８】
本実施の形態に係る画像形成システム１００は、用紙位置規制板を有する。この用紙位置規制板は、用紙搬送路上において搬送される用紙（タックロール紙Ｔ１やタック紙Ｔ２）を案内する用紙ガイド部材であって、用紙蛇行が発生しないように用紙の流れを規制する。本実施の形態の用紙位置規制板は、タックロール紙Ｔ１やタック紙Ｔ２からはみ出た糊を取り除くことができる。図２は、画像形成システム１００が有する用紙位置規制板４の配置を示す図である。同図に示すように、用紙位置規制板４は、給紙装置１の用紙出口付近と、画像形成装置２の用紙入口付近と、巻き取り装置３の用紙入口付近とのうち、少なくとも何れかに（好ましくは何れにも）配置される。用紙位置規制板４は、板状の金属を折り曲げて断面コの字状に形成されたもので、その内側角部にはタックロール紙Ｔ１やタック紙Ｔ２からはみ出た糊を取り除くためのテープ（詳細は後述する）が設けられている。
【００２９】
図１において、タックロール紙Ｔ１を使用した場合で、タックロール紙Ｔ１が圧迫されやすい箇所としては、上述した画像形成部２０および定着部２２の上下ローラーが配置された箇所の他、給紙装置１における符号７，８（図１参照）で示す箇所など、用紙の進行方向が変わる箇所などがある。これらの箇所でタックロール紙Ｔ１が圧迫を受けると、用紙端部から糊がはみ出ることがあり、糊がはみ出た場合には、用紙搬送方向下流側に配置された用紙位置規制板４の内側角部の面と接触した際に付着することになる。
【００３０】
図３は、画像形成装置２内に配置された用紙位置規制板４に糊が付着した状態を示す図である。同図において、矢印Ａは用紙搬送方向を示しており、矢印Ｂは用紙に加わる圧力方向を示している。同図に示す例では、タックロール紙Ｔ１の幅方向の右端部Ｔ１Ｒ側に向かう方向に圧力が加わることから、タックロール紙Ｔ１の右端部Ｔ１Ｒからはみ出た糊が用紙位置規制板４の幅方向の右端部分である規制壁（用紙搬送方向に対して右側の部分）４ａの内面に付着し、堆積する。タックロール紙Ｔ１は、給紙装置１を出るときに給紙装置１内の用紙位置規制板４で位置決めされるので、画像形成装置２内で矢印Ｂ方向に圧力が加わることでタックロール紙Ｔ１の右端部Ｔ１Ｒが給紙装置１内の用紙位置規制板４でも圧迫がかかる。このため、タックロール紙Ｔ１の右端部Ｔ１Ｒからはより多くの糊がはみ出ることになる。これに対し、タックロール紙Ｔ１の左端部Ｔ１Ｌは、用紙位置規制板４の幅方向の左端部分である規制壁（用紙搬送方向に対して左側の部分）４ｂの内面には殆ど接触しないので、左の規制壁４ｂの内面には糊の付着、堆積はみられない。
【００３１】
用紙位置規制板４の規制壁４ａ，４ｂへの糊の付着、堆積が進んで行くと、最悪の場合、用紙搬送が不能になるので、アルコール類、紙または布を用いて頻繁に清掃する必要がある。しかし、図４に示すような従来の用紙位置規制板４０では、角部の奥に入り込んだ糊６を取り除くのは作業的に大変である。
【００３２】
本実施の形態の画像形成システムが有する用紙位置規制板４は、後述する図５に示すように、左右の規制壁４ａ，４ｂそれぞれと平坦部４ｃとの間の角部の内面に糊対策用のテープ８（図５参照）を有しており、このテープ８に、用紙端部からはみ出る糊を付着させることで除去できるようにしている。テープ８の取付け位置の詳細は後述するが、左右の規制壁４ａ，４ｂそれぞれと平坦部４ｃとの間の角部の内面のなかで、特に、用紙端部が接触する頻度の高い部分が最適である。テープ８は、用紙位置規制板４から剥がすことができるので、それを剥がすことで、用紙端部から除去した糊の掃除を容易に行うことができる。なお、テープ８の用紙位置規制板４に対する粘着力は、搬送中の用紙が当たっても剥がれない程度が好ましい。あまり強すぎても剥がすのに時間がかかり、作業効率を悪化させてしまうので、粘着力を考慮することは大切である。
【００３３】
図５は、用紙位置規制板４の一部分を用紙搬送方向の後ろ側からみた図である。同図に示すように、用紙位置規制板４の左の規制壁４ｂと平坦部４ｃとの間の角部の内面には、上述した糊対策用のテープ８が貼着されている。テープ８の高さ方向の長さＬ１および横方向の長さＬ２は、使用するタックロール紙Ｔ１およびタック紙Ｔ２の用紙搬送時における上下のバタつきや、当該用紙Ｔ１，Ｔ２の幅方向のサイズに応じて決めることで、効果的に糊を付着させることが可能となる。まず高さ方向の長さＬ１については、タックロール紙Ｔ１やタック紙Ｔ２の上下のバタつき範囲をカバーする範囲の長さが必要となる。タックロール紙Ｔ１やタック紙Ｔ２の上下バタつきは最大略３ｍｍ以内で収まるが、糊が触れる頻度が高くなると、大きく成長するので、約５ｍｍ以上が必要となる。
【００３４】
次に、横方向の長さＬ２については、タックロール紙Ｔ１やタック紙Ｔ２が片側に寄った時も用紙端部がテープ面内に存在することが条件となる。用紙幅は通常±２ｍｍ幅のバラつきを持つので、用紙位置規制板４は＋２ｍｍ幅用紙を元に設計し、そこへ最少の用紙幅が来て、用紙が片側に寄った場合は、用紙と用紙位置規制板４との間には最大４ｍｍの隙間が発生する。更に、用紙位置規制板４と用紙との間は片側０．５ｍｍ幅の隙間で設計されているので、用紙が偏ると更に１ｍｍの隙間が発生する。このため、１ｍｍと４ｍｍの計５ｍｍの隙間が発生する。したがって、タックロール紙Ｔ１やタック紙Ｔ２が片側に寄った時でも用紙端部がテープ面内に存在する為にはＬ２は５ｍｍ以上となる。したがって、一例としてＬ１＝１０ｍｍ、Ｌ２＝１０ｍｍの合計幅２０ｍｍのテープを作製することで、タックロール紙Ｔ１やタック紙Ｔ２の用紙端部からはみ出た糊を効果的に取り除くことが可能となる。
【００３５】
図６は、用紙位置規制板４からテープ８を剥がしたときの様子を示す図である。同図に示すように、用紙位置規制板４の左端側の規制壁４ｂに貼着したテープ８に付着した糊６は、テープ８を剥がすことで容易に取り除くことができる。なお、同図において、矢印Ｃはテープ８を剥がした方向を示している。
【００３６】
テープ８の材料としては、薄くて安価に製造できるものが適しており、例えばポリオレフィン、ポリエチレン、セロハン等合成樹脂を主成分とするものが挙げられる。この場合、薄過ぎると破れ易く扱い難くなる。また、厚過ぎるとテープの腰が強く用紙位置規制板４の角部に貼り難くなり、また積層した場合に厚みが増して用紙に影響を与えるので、１枚のテープ８の厚みをｔとすると、ｔは１０μｍ＜ｔ＜１００μｍの範囲が望ましい。また、摩擦力の小さいテフロン（登録商標）系を使用することで、糊の付着を低減でき、清掃の回数を減らすことができる。
【００３７】
また、テープ８は、１枚でも良いが、複数枚積層して１枚ずつ剥がすような構造のテープ積層体とすることで、テープ貼りの作業回数を減らすことができ、作業工数の削減が可能となる。一例として、１枚のテープの厚みを３０μｍとして、それを５枚重ねたテープ積層体とする。この場合、テープ積層体の総厚は１５０μｍとなるが、用紙搬送路に対する影響は無視できる厚みなので問題ない。
【００３８】
また、用紙位置規制板４の左右の規制壁４ａ，４ｂそれぞれと平坦部４ｃとの間の角部の内面にテープ８を設けることになるので、テープ８を貼るには多少の手間がかかる。そこで、用紙位置規制板４の右側の規制壁４ａと左側の規制壁４ｂのそれぞれが用紙と平行になる０度から用紙に対して９０度となる範囲内で可動な構造とすることで、テープ貼り作業の容易性と工数削減が可能となる。
【００３９】
図７は、規制壁を用紙と平行になる０度から用紙に対して９０度となる範囲内で可動させることができる構造を有する用紙位置規制板１５を示す図である。同図は、左の規制壁１５ｂと平坦部１５ｃの一部分を示している。同図の（ａ）は、規制壁１５ｂを用紙と平行になる０度に設定した状態を示しており、同図の（ｂ）は、規制壁１５ｂを用紙に対して９０度に設定した状態を示している。なお、図示しないが、右の規制壁１５ａも同様の構造となっている。また、規制壁１５ａ，１５ｂのそれぞれが用紙に対して９０度に設定したときにロックが掛かるか、あるいはロックを掛けることができるような構造を持たせることも大切である。
【００４０】
このような構造の用紙位置規制板１５において、テープ８を貼るときは、規制壁１５ａ，１５ｂそれぞれを用紙と平行になる０度に設定し、テープ８を貼り終えると、規制壁１５ａ，１５ｂそれぞれを用紙に対して９０度となる元の状態に戻す。すなわち、規制壁１５ａ，１５ｂが平坦部１５ｃに対して開閉可能に連結されており、清掃時に規制壁１５ａ，１５ｂを開くことができるようになっているので、清掃時のテープ８を貼り替えが容易である。
【００４１】
このように構成した本実施の形態によれば、用紙搬送経路上で用紙の流れを規制する用紙位置規制板４の左右の規制壁４ａ，４ｂそれぞれと平坦部４ｃとの間の角部の内面にテープ８を設けたので、糊の層を有するタックロール紙Ｔ１やタック紙Ｔ２を使用した場合に、これらの用紙が用紙搬送路上で受ける圧迫によって用紙端部からはみ出た糊を付着させることで除去することができる。したがって、テープ８を剥がすだけの簡単な作業でタックロール紙Ｔ１やタック紙Ｔ２からはみ出た糊を取り除くための清掃作業が、「テープ８を剥がす」だけの極めて簡単な作業となる。また、糊の除去に必要な部材はテープだけなので、極めて安価に実現できる。
【００４２】
なお、本実施の形態では、用紙位置規制板４の材料として金属を用いたが、プラスチック等の樹脂を用いても構わない。
【００４３】
また、本実施の形態では、用紙位置規制板４の形状を断面コの字状に形成して用紙搬送路上の必要な箇所に配置するようにしたが、その形状を断面Ｌの字状として、用紙搬送路両側に配置させたり、用紙搬送路上の必要な箇所にだけ配置させたりすることも勿論可能である。
【００４４】
また、本実施の形態では、用紙ガイド部材の一例として用紙位置規制板を挙げ、本発明を用紙位置規制板に適用することについて説明したが、本発明は、用紙位置規制板に限らず、用紙搬送路に配設されたコロ等にも適用可能である。
【符号の説明】
【００４５】
１  給紙装置
２  画像形成装置
３  巻き取り装置
４，１５  用紙位置規制板（用紙ガイド部材）
４ａ，４ｂ，１５ｂ  規制壁（接触部、壁部）
４ｃ，１５ｃ  平坦部（接触部、底部）
６  糊
８  テープ（清掃部）
２０  画像形成部
２１  用紙搬送部
２２  定着部
１００  画像形成システム
２０３  転写ローラー
２０４  バックアップローラー
２１１  給紙部
２１２  排紙部
２１３  搬送経路部
２２１  定着ローラー
２２２  加圧ローラー
Ｔ１  タックロール紙
Ｔ２  タック紙
【図１】
2016129973.tif 000003
【図２】
2016129973.tif 000004
【図３】
2016129973.tif 000005
【図４】
2016129973.tif 000006
【図５】
2016129973.tif 000007
【図６】
2016129973.tif 000008
【図７】
2016129973.tif 000009
【図８】
2016129973.tif 000010